(57)【要約】  血管閉塞を除去するための方法が、アウターカテーテル、バイパスカテーテル、およびガイドワイヤーを備えるカテーテルシステムを提供することを含む。当該カテーテルシステムにおいて、バイパスカテーテルはアウターカテーテル内にスライド可能に配置されている。当該方法は、カテーテルシステムの遠位端を血管内にある閉塞の近位端に位置させること、および薬物治療用液剤がバイパスカテーテルを通り脳領域または他の組織へ送達されて前記閉塞によって塞がれた血管に作用するようにバイパスカテーテルを閉塞を通して動かすことを含む。バイパスカテーテルを使って血管が塞がれた部分へ薬物治療用液剤を送達する間および後に、外科医は、アウターカテーテルの穿孔部分で閉塞を係合することができ、血栓溶解薬がそれを分解するために閉塞に送達し、その後、少なくとも閉塞の一部を血管から除去できるようになる。【選択図】図２
2018509232.tif 000002
【特許請求の範囲】
【請求項１】
血管閉塞を緩和するためのカテーテルシステムであって、
近位部分、遠位部分、中心ルーメン、穿孔部分、および少なくとも１つの膨張可能バルーンを有するアウターカテーテルと、
バイパスカテーテルと
を含み、
前記バイパスマイクロカテーテルがスライド可能に前記アウターカテーテル内に配置され、前記少なくとも１つの膨張可能バルーンが膨張ルーメンによって膨張される、血管閉塞を緩和するためのカテーテルシステム。
【請求項２】
前記アウターカテーテルの穿孔部分の両側にＸ線撮影用マーカーが位置する、請求項１に記載のカテーテルシステム。
【請求項３】
前記バイパスカテーテルがマイクロカテーテルである、請求項１に記載のカテーテルシステム。
【請求項４】
前記膨張可能バルーンが膨張すると血流を遮断する、請求項１に記載のカテーテルシステム。
【請求項５】
前記カテーテルシステムが、陰圧ポンプが前記アウターカテーテルの近位端に取付くように構成された、請求項１に記載のカテーテルシステム。
【請求項６】
前記膨張ルーメンが前記アウターカテーテルの周縁に配置された、請求項１に記載のカテーテルシステム。
【請求項７】
前記アウターカテーテルが、ガイドカテーテルを使用して血管腔へ導入される、請求項１に記載のカテーテルシステム。
【請求項８】
血管閉塞を除去するための方法であって、
アウターカテーテル、バイパスマイクロカテーテルを備え、前記バイパスマイクロカテーテルが前記アウターカテーテル内にスライド可能に配置されるカテーテルシステムを提供することと、
前記カテーテルシステムの遠位端を閉塞の近位端に位置させることと、
前記閉塞部位において血流を遮断するために、前記アウターカテーテル上に配置される少なくとも１つのバルーンを膨張することと、
前記バイパスマイクロカテーテルを前記閉塞を通して延長することと、
薬物液剤を前記バイパスマイクロカテーテルを通じて前記閉塞部位を越えて送達することと、
前記閉塞部位の先にある前記脳の前記領域への血流を回復することと、
薬物液剤を送達することによって前記閉塞部位において血栓溶解を開始することと、
前記閉塞の前記除去可能な部分を前記血管から除去することと
を含む、血管閉塞を除去するための方法。
【請求項９】
前記カテーテルシステムが、近位端、遠位端、中心ルーメン、および少なくとも１つの血流遮断バルーンを備えたガイドカテーテルを使用して血管内に導入される、請求項８に記載の方法。
【請求項１０】
前記アウターカテーテルが、遠位部分、近位部分、中心ルーメン、および遠位部分の側壁を通る複数の穿孔を更に備える、請求項８に記載の方法。
【請求項１１】
前記薬物治療用液剤が、動脈血化血液、冷却生理食塩水、血栓溶解薬、血管拡張薬、冷却血漿、またはこれらの組み合わせの溶液から選択される、請求項８に記載の方法。
【請求項１２】
前記アウターカテーテルの前記遠位部分の前記側壁上に存在する前記複数の穿孔を通して前記薬物治療用液剤が前記閉塞部位へ送達される、請求項１１に記載の方法。
【請求項１３】
前記方法が、前記閉塞の前記除去可能な部分に陰圧を適用することで除去することを更に含む、請求項８に記載の方法。
【請求項１４】
前記方法が、陰圧を前記カテーテルシステムに流量制限シリンジ吸引器を使用して手動で適用することを更に含む、請求項１３に記載の方法。
【請求項１５】
前記方法が、陰圧をカテーテルシステムに陰圧ポンプを使用して適用することを更に含む、請求項１３に記載の方法。
【請求項１６】
血管閉塞を緩和するための分岐部脳卒中治療カテーテルシステムであって、
第１バイパスマイクロカテーテル、第２バイパスマイクロカテーテル、少なくとも１つの血流遮断バルーン、および少なくとも１つのガイドワイヤーを有するアウターカテーテルを含み、
前記第１および第２バイパスマイクロカテーテルが、前記アウターカテーテル内にスライド可能に配置され、血管の分岐する遠位枝内に延びることが可能である、
血管閉塞を緩和するための分岐部脳卒中治療カテーテルシステム。
【請求項１７】
前記アウターカテーテルが、前記アウターカテーテルの遠位端の側壁を通る複数の穿孔を備える、請求項１６に記載のカテーテルシステム。
【請求項１８】
血管閉塞を除去するための方法であって、
（ａ）アウターカテーテル、第１バイパスマイクロカテーテル、第２バイパスマイクロカテーテルを備え、前記アウターカテーテルが、第１膨張可能バルーン、第２膨張可能バルーン、および穿孔部分を備える、カテーテルシステムを提供することと、
（ｂ）前記カテーテルシステムの遠位端を血管内にある閉塞の遠位端に位置させることと、
（ｃ）第１膨張可能バルーンを前記閉塞を越えた前記アウターカテーテル上で、第２膨張可能バルーンを前記閉塞の手前の前記アウターカテーテル上で膨張することと、
（ｄ）前記第１バイパスマイクロカテーテルを前記血管の第１遠位分岐枝内へ、第２バイパスマイクロカテーテルを前記血管の第２遠位分岐枝内へ、第１薬物液剤を前記遠位枝へ送達するために延長することと、
（ｅ）第２薬物液剤を前記閉塞部位へ前記アウターカテーテル上の前記穿孔を通して、前記閉塞を分解するために送達することと、
（ｆ）頭蓋外ガイドカテーテル上で分離したバルーンを膨張させることによって動脈内を前進する血流を遮断した後に、前記血管から前記閉塞の前記除去可能部分を除去することと
を含む、血管閉塞を除去するための方法。
【請求項１９】
血管閉塞を除去するための方法であって、
（ａ）アウターカテーテルを備えた装置であり、前記アウターカテーテルが、インナールーメン、第１膨張可能バルーン、第２膨張可能バルーン、および穿孔部分を備え、Ｘ線撮影用マーカーが前記穿孔部分の両側の側面に位置する装置を提供することと、
（ｂ）大腿動脈を血管内部の特殊シースでアクセスできるようにすることと、
（ｃ）血流遮断バルーンを装備した頭蓋外ガイドカテーテルを頭蓋外頚動脈、脊椎動脈、または他の動脈内に配置することと、
（ｄ）前記カテーテル装置を閉塞部位の前記アウターカテーテル側面上の前記Ｘ線撮影用マーカーまで導くことと、
（ｅ）前記閉塞の近位への血流を止めるために前記アウターカテーテル上の前記第１バルーンおよび第２バルーンを膨張することと、
（ｆ）前記アウターカテーテルの前記インナールーメンを前記閉塞の先へ延長することと、
（ｇ）前記デバイスガイドカテーテルの前記インナールーメンを通して前記閉塞の遠位の脳組織領域へ薬物液剤を送達することによってバイパスを開始することと、
（ｈ）前記閉塞部位において、薬物液剤を前記アウターカテーテルの前記穿孔部分を通じて送達することによって血栓溶解を開始することと、
（ｉ）好ましくは前記頭蓋外ガイドカテーテルバルーンを使用して動脈の前進血流を遮断した後、前記閉塞の前記除去可能部分を血管から回収することと
を含む、血管閉塞を除去するための方法。
【請求項２０】
前記第１および前記第２膨張可能バルーンが、膨張ルーメンを通じて送達される流体によって膨張される、請求項１８または１９に記載の方法。
【請求項２１】
前記膨張ルーメンが、前記ガイドカテーテル上の周縁に配置される、請求項１８または１９に記載の方法。
【請求項２２】
前記ガイドカテーテルが、第１バイパスマイクロカテーテルおよび第２バイパスマイクロカテーテルを更に備える、請求項１８または１９に記載の方法。
【発明の詳細な説明】
【技術分野】
【０００１】
関連出願の相互参照
本出願は、本明細書にその全体を参考として組み込まれる２０１５年３月２６日に出願された米国特許仮出願番号６２／１３８，５９９の優先性を主張する。
【０００２】
本出願は、一般に脳卒中治療カテーテルシステムおよび、分岐部閉塞または主要な脳血管に形成された血餅を治療するための方法に関する。具体的には、本出願は、血餅捕捉機構、血餅破片を回収する吸引機構、および患者の血管の血流回復および開通性を延ばすために血餅をバイパスする方法を組み合わせたバイパスカテーテルシステムに関する。
【背景技術】
【０００３】
大脳動脈の血栓性または塞栓性閉塞は、虚血性または急性脳卒中の原因となることが多い。脳卒中とは、突然に脳領域へ血液循環が失われ、特定の神経機能を失う結果になることであると特徴付けられる。中大脳動脈（ＭＣＡ）またはその分岐における閉塞は、初回脳卒中全体の３分の２の原因となる最も一般的タイプの前方循環系梗塞である。そのような急性脳卒中の直後には、閉塞したＭＣＡを再度開通する必要があり、初期の閉塞発症から８時間内で行われることが好ましい。大脳血管内皮の修復には、損傷部位に付着する血小板付着が先行し、続いて走化性因子として作用している凝固要因を血小板と一緒に挟み、血液から凝固したより多くのタンパク質を誘発して取り除く。この増幅機構の結果（すなわち、血小板の凝集および活性化）は、血小板の蓄積および、血管を急速に再閉塞する白色血栓、つまりフィブリン／血小板血栓、の部位における血小板の結合となる。この状況において、ｔＰＡのような血栓溶解薬は、この異なるタイプの血栓に対しては作用しないため、もはや有効ではない。従って、血管内の閉塞を除去する従来の方法は、すべての状況において適切とはならないことがある。
【発明の概要】
【課題を解決するための手段】
【０００４】
一実施形態では、血管閉塞を緩和するためのカテーテルシステムが提供されている。当該カテーテルシステムは、近位端、遠位端、中心ルーメン、穿孔部分を有するアウターカテーテル；少なくとも１つの膨張可能バルーン；バイパスマイクロカテーテル；およびガイドワイヤーからなる。当該カテーテルシステムにおいて、バイパスマイクロカテーテルはアウターカテーテル内にスライド可能に配置されている。
【０００５】
血管閉塞を除去するための方法は、アウターカテーテルとバイパスカテーテルを備えるカテーテルシステムを提供することを含み、当該カテーテルシステムでは、バイパスマイクロカテーテルが、アウターカテーテル内にスライド可能に配置され、カテーテルシステムの遠位端が血管内の閉塞の近位端に位置し、血流が閉塞の近位で遮断されるようにバルーンを膨張させられる。続いて、バイパスマイクロカテーテルを血管内で閉塞を通りそこを越えて遠位に延ばすことによって、バイパス機構が開始され、そうすることで第１薬物治療用液剤が、バイパスマイクロカテーテルを通じて脳の領域、または血管が及ぶ他の組織へと送達されることができる。それに並行して、当該方法はまた、アウターカテーテルの穿孔部分を閉塞の近位または閉塞内に位置させること、閉塞を分解するために第２の薬液を閉塞へ送達すること、そしてそれに続き、アウターカテーテルのルーメンを通じて除去可能な閉塞の一部を除去することを含む。
【０００６】
一実施形態では、血管分岐の閉塞を治療するための脳卒中治療カテーテルシステムが提供される。当該カテーテルシステムは、少なくとも１つの膨張可能バルーン、第１バイパスマイクロカテーテル、第２バイパスマイクロカテーテル、および少なくとも１つのガイドワイヤーを有するアウターカテーテルを備え、第１および第２バイパスマイクロカテーテルは、アウターカテーテル内にスライド可能に配置され、血管内の分岐する遠位枝に入るように延長可能となっている。
【０００７】
分岐血管における血管閉塞を治療するための方法は、アウターカテーテル、第１バイパスマイクロカテーテル、第２バイパスマイクロカテーテルを備えたカテーテルシステムを含み、当該アウターカテーテルは、第１膨張可能バルーンと第２膨張可能バルーンと穿孔部分を含み、アウターカテーテルシステムの遠位端を閉塞の先であり分岐血管の手前に位置させ、第１バルーンを閉塞の先で膨張させ、第２バルーンを閉塞手前で膨張させて、膨張したバルーンが閉塞の近位への血流を遮断し、このようにして閉塞を第１および第２の膨張したバルーンの間で区域的に捕捉するようにし、第１バイパスマイクロカテーテルと第２バイパスマイクロカテーテルを血管の開通性を維持して薬物治療用液剤を送達するためにそれぞれ第１および第２遠位分岐枝内に延ばす。当該方法は、局所的に捕らえた閉塞において、それを分解するためにアウターカテーテル上の穿孔部分を通して薬液を送達すること、および分解された血餅破片を除去するためのアウターカテーテルの中心ルーメンによって有効化された吸引機構を更に含む。
【０００８】
本明細書に組込まれ、本明細書の一部を構成する添付の図面は、本発明の態様の様々な例示的実施形態を示す、様々な例示的なシステム、方法、等を示す。図内に示された部品の境界線（例えば、ボックス、ボックスのグループ、または他の形状）は、境界線の一例を表すものであると理解されよう。１つの部品が複数部品として設計されることができ、または複数部品が１つの部品として設計されることができることを当業者は理解するであろう。別の部品の内部部品として示される１つの部品が、外部部品として供給されることができ、その逆も可能である。更に、部品は縮尺に合わせて描かれていない場合がある。
【図面の簡単な説明】
【０００９】
【図１ａ】単一管腔のアウターカテーテルの一部の側面斜視図である。
【図１ｂ】複式管腔のアウターカテーテルの一部の側面斜視図である。
【図１ｃ】頭蓋外ガイドカテーテル（ＥＣＧＣ）の側面斜視図である。
【図１ｄ】頭蓋外ガイドカテーテル（１ｄ）の断面図である。
【図１ｅ】単一管腔アウターカテーテル（１ｅ）の断面図である。
【図１ｆ】複式管腔アウターカテーテル（１ｆ）の断面図である。
【図１ｇ】閉塞部位に配置された頭蓋外ガイドカテーテル、アウターカテーテル、バイパスマイクロカテーテルの側面図である。
【図２】図１ｂの複式管腔カテーテルの近位部分の側面図である。
【図３】２つの膨張したバルーンを備えた図１の複式管腔カテーテルの側面図である。
【図４】分岐した遠位枝路（Ｍ１およびＭ２）および分岐の結合部近くに沈着する閉塞を有する脳血管の側面図である。
【図５】図４の閉塞の近位に配置された図１の単一管腔カテーテルの側面図である。
【図６（ａ）】図４の閉塞を越えて延びるバイパスカテ−テルを有する図１ａの単一管腔カテーテルの側面図である。
【図６（ｂ）】図４の閉塞を越えて延びるガイドワイヤーを有する図１ｂの複式管腔カテーテルの側面図である。
【図７】図４の閉塞を越えて延びる第１および第２バイパスマイクロカテーテルを有する複式管腔カテーテルの側面図である。
【図８】第１バイパスマイクロカテーテルが部分的に引き込まれ閉塞部位の近位に位置し、第２バイパスマイクロカテーテルが遠位分岐Ｍ２の１つ内に延びていることを示す複式管腔カテーテルの側面図である。
【図９】閉塞する血餅が分岐した遠位分岐（Ｍ１およびＭ２）から一定距離を置いて沈着した脳血管の側面図である。
【図１０】図９の閉塞の近位に位置する複式管腔カテーテルの近位部分の側面図である。
【図１１】図９の閉塞を通り、図９の閉塞を越えて延びる、複式管腔カテーテルの側面図である。
【図１２】第１および第２膨張バルーンの間の閉塞を捕らえるための捕捉機構が配置された、複式管腔カテーテルの側面図である。
【図１３ａ】狭まった遠位端を有する図１の単一管腔カテーテルの一部の側面斜視図である。
【図１３ｂ】徐々にテーパーが付いた遠位端を有する図１の単一管腔カテーテルの側面斜視図である。
【図１４】アウターカテーテルの代替的実施形態の側面斜視図である。
【図１５】分岐を含む右中大脳動脈の主要管腔の閉塞を示す血管造影像である。
【図１６】２本の分岐のうち１本のみの部分的血管疎通を示す血管造影像である。
【発明を実施するための形態】
【００１０】
カテーテルシステム１０は、大脳血管の閉塞した部分への血流を回復するために、例えば、虚血性脳卒中に苦しむ患者に用いることができる。一般的に、図１に示される当該カテーテルシステム１０は、管状部材１３を有する単一管腔装置（図１ａ）または管状部材１３および１４の複式管腔装置（図１ｂ）を備える。一実施形態において、カテーテルシステム１０は、アウターカテーテル１２、バイパスマイクロカテーテル２３、少なくとも１つの血流遮断バルーン２４−ａ、およびガイドワイヤー１１を備える。別の実施形態では、カテーテルシステム１０は、アウターカテーテル１２、第１バイパスマイクロカテーテル２３、第２バイパスマイクロカテーテル２５、２つの膨張可能血流遮断バルーン２４−ａおよび２４−ｂならびに少なくとも１つの（図１ｂおよび図２に示す）ガイドワイヤー１１ａを備える。カテーテルシステム１０は、近位端４、遠位端３、単一ルーメン８、周縁に配置された膨張ルーメン７、および頭蓋外頚動脈内、または脊柱や他の動脈において血液の順流を遮断することが可能な少なくとも単一の血流遮断バルーン６を有する、頭蓋外ガイドカテーテル（ＥＣＧＣ）５を介して患者の血管へ導入される。
【００１１】
アウターカテーテル１２は概して筒状の形状で、第１筒状管腔１３、第２筒状管腔１４、近位端２１、移行部分（図示せず）、遠位端２２を備えている。第１筒状管腔１３および第２筒状管腔１４は、アウターカテーテル１２と一体化形成されるか、またはアウターカテーテル１２に別途取付けられることができる。各筒状管腔１３および１４は、近位開口端１６および１７、ならびに遠位開口端１９および２０をそれぞれ備えている。アウターカテーテル１２はまた、近位端２１に配置された少なくとも１つの膨張可能血流遮断バルーン２４−ａ、および近位端２１の側壁上に少なくとも１つの穿孔１８を備える。好ましくは、アウターカテーテル１２の近位端２１の側壁部は、近位端２１および／または遠位端２２および／または移行部分を覆う（図２）、実質的に穿孔した区域／領域４５を形成する複数の穿孔を備えることができる。Ｘ線撮影用マーカー４６−ａおよび４６−ｂは、（図２および図５に示す）アウターカテーテル１２の穿孔部分４５の両側に配置することができる。
【００１２】
図１に示されるアウターカテーテル１２に類似して、第１バイパスマイクロカテーテル２３および第２バイパスマイクロカテーテル２５は、各近位端２６および２７、移行部分（図示せず）、各遠位端２８および２９を有する概して筒状の本体を備えている。アウターカテーテル１２、第１バイパスマイクロカテーテル２３、および第２バイパスカテーテル２５のそれぞれは、筒状本体の遠位端２２、２８、２９から筒状本体の近位端２１、２６、２７へと延びるそこに少なくとも１つのルーメン１５、１３’および１４’（図１ｂに示す）を備えることができる。しかしながら、第１および第２バイパスマイクロカテーテルのルーメン１３’および１４’のみが、近位端２６および２７、ならびに遠位端２８および２９に開口端を備え、一方で、アウターカテーテル１２のルーメン１５は近位端２１においてのみ開口しており、遠位端２２においては閉じていることができる。
【００１３】
アウターカテーテル１２の第１管腔１３および第２管腔１４の内部に配置された第１バイパスカテーテル２３および第２バイパスカテーテル２５は、移動可能で、時計回り／反時計回りの方向に回転可能、またはアウターカテーテル１１２内で水平軸Ａに沿って前方／後方方向にスライド可能である。膨張管腔７は、少なくともアウターカテーテル１２または、１つもしくは両方のバイパスマイクロカテーテル２３および２５の周縁にそれぞれ配置されることができる（図１ｄ〜ｇに示す）。食塩液または滅菌水などの標準の膨張流体が満たされると膨張ルーメンは、アウターカテーテル１２の近位部にある１つ以上のバルーンを膨張させるように働くことができる。第１バイパスマイクロカテーテル２３および第２バイパスマイクロカテーテル２５が（図４に示す）主な血管ルーメン３０、または遠位分岐３１（Ｍ１）および３２（Ｍ２）の血管ルーメン内へ導かれる際に、の可視化できるようにするため、Ｘ線不透過性マーカー３６−ａ、３６−ｂが、それぞれ、第１バイパスマイクロカテーテル２３および第２バイパスマイクロカテーテル２５の遠位部上に配置されることができる（図７に示す）。
【００１４】
急性脳卒中などの頭蓋内での用途のために、アウターカテーテル１２は、低刺激性シリコーンゴム、ニチノール、ナイロン、ポリウレタン、ポリエチレンテレフタレート（ＰＥＴＥ）、ポリ塩化ビニル（ＰＶＣ）、ラテックス、チタン、ステンレス鋼、熱可塑性エラストマー、またはこれらの組み合わせなどの可撓性材料で作製されることができるが、これらに限定されない。他の好適な材料もまた、検討される。第１バイパスマイクロカテーテル２３および第２バイパスマイクロカテーテル２５は、アウターカテーテル１２と同じ材料から作製されることができ、または異なる材料から作製されることもある。アウターカテーテル１２、第１バイパスマイクロカテーテル２３および第２バイパスマイクロカテーテル２５は、すべて親水性表面コーティングを有することができる。第１バイパスマイクロカテーテル２３および第２バイパスマイクロカテーテル２５は、約１５０ｃｍから約３００ｍｍの全長を有することができ、約０．６２ｍｍから約０．９５ｍｍの外径を有することができる。一般に、アウターカテーテル１２の内径は、第１バイパスマイクロカテーテル２３および第２バイパスマイクロカテーテル２５の外径より大きい。理想的には、アウターカテーテル１２は、それぞれ第１および第２バイパスマイクロカテーテル２３、２５の外径より大きな約０．１０ｍｍから約０．５０ｍｍの内径を有することができる。
【００１５】
アウターカテーテル１２、第１バイパスマイクロカテーテル２３、第２バイパスマイクロカテーテル２５のすべては、マッチングシステムを形成するために色識別または番号識別されることができる。同時に使用される全カテーテルは、あらゆる不一致を防止するために互いに似たように符号化されなければならない。
【００１６】
カテーテルシステム１０はまた、１つ以上のガイドワイヤー（図１〜３に示す）を備えることができる。第１ガイドワイヤー１１は、親水性物質でコーティングされてよく、カテーテルシステム１０を初めに挿入するために使用されることができる。第１ガイドワイヤー１１は、約１８０ｃｍから約１９０ｃｍの全長を有することができる。図６、７、１１〜１３に示される第２および第３ガイドワイヤー１１ａ、１１ｂは、第１バイパスマイクロカテーテル２３または第２バイパスマイクロカテーテル２５を導くために使用されることができ、また、同様に構成され、約３００ｃｍの全長を有することができる。
【００１７】
図１ｇにて示すように、患者の大腿動脈へダブルルーメンシース（図示せず）を挿入することで、カテーテルシステム１０は患者の体内に導入されることができる。当該シースはまた、動脈血化血液を排除するための追加の流路を有することができる。アウターカテーテル１２、バイパスマイクロカテーテル２３を備えるカテーテルシステム１０は、脳卒中患者の場合、その後、シースの第１ルーメンを通り大腿動脈へと導かれ、大動脈弓まで上り巡り、頚動脈または椎骨動脈へ入ってから頭蓋底へと入るように導かれ、大脳動脈の動脈閉塞部位に配置される。頭蓋外に残る中間ガイドカテーテル（ＥＣＧＣ）５は、頭蓋外脊椎動脈または頚動脈の中に配置されることができ、その後、装置用の静止したガイドとして機能し、頭蓋内を通過する。このＥＣＧＣは、血管内の血流を遮断するために追加的に機能することができる膨張したバルーン６によって適切な位置に固定されることができる。ガイドワイヤー１１は、その後、図６ａに示すように閉塞を通って、それを越えるように延びるバイパスマイクロカテーテル２３を配置するために使用される。続いて、外科医は、血管内でＥＣＧＣ上のバルーン６を越え閉塞の近位へ滴る血流を遮断するために、図６ａに示すように単一のバルーンを、または図６ｂに示すように２つのバルーンを、または単一のバルーンをダンベル形状に膨張することができる。この血流を遮断する工程は、バイパス機構を初期化、および／または血栓溶解治療の前に実施することができる。
【００１８】
アウターカテーテル１２、第１バイパスマイクロカテーテル２３、および第２バイパスマイクロカテーテル２５が、体内を通り導かれ、図６ｂに示されるように閉塞部位に位置される一方で、（約３００ｍｍＨｇで）加圧され、および／またはヘパリン添加された生理食塩水が近位端２１から中心ルーメン１５へポンプで汲み上げられ、閉塞４０の部位においてアウターカテーテル１２の穿孔１８を通じて排出される点に留意すべきである。ヘパリン添加された生理食塩水は更に、閉塞４０を越えて遠位分枝Ｍ１  ３１およびＭ２  ３２へと送達され、それぞれ近位端２６、２７から第１バイパスマイクロカテーテル２３および第２バイパスマイクロカテーテル２５のルーメン１３’、１４’を通り、遠位開口端２８、２９を通り排出される。ヘパリン添加生理食塩水のカテーテル１２、２３、および２５を通じた流入は、血液や塞栓などの他の潜在的な破片が、カテーテルに入り、カテーテルを詰まらせることを防止する。一実施形態では、第１バイパスマイクロカテーテル２３および第２バイパスマイクロカテーテル２５は、動脈血化または酸素化された血液、血栓溶解薬、冷血漿、生理食塩水などの他の治療薬液を送達するために用いられることができる。
【００１９】
図６〜８は、大動脈や血管３０内の分岐枝の結合部の近くに詰まった閉塞４０に対して移動する位置での脳卒中カテーテルシステム１０を示している。図６ａおよび図６ｂは、閉塞４０の近位に位置するアウターカテーテル１２、および閉塞４０を越えて遠位分岐Ｍ１  ３１ならびにＭ２  ３２へ向かって延びるガイドワイヤー１１ａならびに１１ｂを示している。第１バイパスマイクロカテーテル２３および第２バイパスマイクロカテーテル２５の遠位端に配置されたＸ線不透過性マーカー３６−ａおよび３６−ｂは更に、外科医が両方のバイパスマイクロカテーテル２３および２５を遠位分岐Ｍ１３１およびＭ２３２へ向けて導くことを支援する（図７）。図６に示される閉塞４０を周り、または通過する施術は、脈管構造の組織壁の膨張性特性によって可能となっている。更に、バルーン２４−ａおよび／または２４−ｂの膨張は、外科医がアウターカテーテル１２を定位置に固定できるようにするだけでなく、血管内で閉塞の近位への血流を遮断するために重要に機能する（図８）。一般に、完全に膨張すると、バルーン６、２４−ａおよび２４−ｂは、少なくとも直径約３ｍｍで全長約５ｍｍとなることができ、ＥＣＧＣ５ならびに／または血管壁内のアウターカテーテル１２が動くことを十分に防止し、また閉塞４０の部位にて血流を十分に遮断するように設計されている。バルーンの設計は、更に、より線形の介在区域で分割される２つのダンベル状端部が単一の膨張流路を通じて膨張するようにできる。すべてのバルーンが膨張可能であり、血液の前進流を遮断できると、外科医は、例えばＥＣＧＣ上のバルーン６など、１つのバルーンだけを膨張させることを選択することができる。場合によって、外科医は血液の前進流を遮断するために、２つのバルーン６および２４−ａもしくは２４−ｂ、またはＥＣＧＣおよびアウターカテーテル１２上に配置されているすべてのバルーンを膨張させることを選択することができる。血管壁の特性や脆性に応じて、外科医は血流を遮断するためにバルーンを異なる圧力で膨張させることもできる。
【００２０】
更に、図８に示すように、バイパスマイクロカテーテル２３および２５の両方は、アウターカテーテル１２内で移動可能なので、外科医は２つのバイパスマイクロカテーテルのうち１つを部分的に引き抜くことを選択できる。そのようにすることで、部分的に引き抜かれたバイパスマイクロカテーテルは、（図８に示すように、）閉塞４０の近位に位置するようにでき、閉塞４０の血栓溶解を開始するために、血栓溶解薬をアウターカテーテル１２の穿孔部分４５を通して送達することに加えて、同じ血栓溶解薬を閉塞４０に送達するために使用することができる。同時に、遠位分岐Ｍ１  ３１およびＭ２  ３２のいずれか１つの内部に配置された別のバイパスマイクロカテーテルが、虚血性イベントによって酸欠状態の脳の部分（バイパス機構）へ動脈血化血液または冷血漿を送達して、少なくとも１つの分枝内に血流を回復させるために使用され得る（図８）。
【００２１】
動脈血化血液の有害な閉塞を越えた送達は、閉塞が取り除かれる前に少なくとも１つの酸欠状態の分岐血管の活力を回復させるだけでなく、重要なことにも、外科医が閉塞を分解して、患者の虚血性脳への正常な血流を回復させるために要する時間を増加させることになる。例えば、カテーテルシステム１０を使用して閉塞の遠位の領域で血流を回復するために要する時間は、１５分内であることができ、手術が開始されて８分から１０分内が好ましい。或いは、患者自身の血液を大腿動脈からシリンジ（図示せず）へ引き込み、ヘパリン添加された生理食塩水とその血液を混合することによって、分岐血管（図８の第２バイパスマイクロカテーテル２５に示す）の１つに延びたバイパスマイクロカテーテルを通してヘパリン添加生理食塩水を添加した動脈血化血液を注入投与することができる。
【００２２】
バイパスマイクロカテーテルの１つが血管分岐Ｍ１  ３１／Ｍ２  ３２（図８に示すように）の１つへの血流を回復するために位置決めされた後、外科医は、（図８の第１バイパスマイクロカテーテル２３に示すように）有害な閉塞４０の近位に位置する部分的に引き抜いたバイパスマイクロカテーテルを通じて血栓溶解薬をポンピング注入して血栓溶解治療を開始することができる。血栓溶解薬の閉塞への送達は、閉塞４０の溶解または分解を促進することができる。更に、陰圧をアウターカテーテル１２の中心ルーメン１５を介して適用することができる。この圧力は、陰圧ポンプによって、または流量制御バルブが付いたシリンジを使用するオペレータによって付与されることができる。この生成された陰圧は、関係する血管壁を崩壊させるために必要な圧力より概して低い。
【００２３】
アウターカテーテルの中心ルーメン１５にて形成された陰圧は、アウターカテーテル１２の穿孔１８を介してより小さな血餅破片を更に吸引することができるようにする。適用される圧力はまた、穿孔１８を通過できないより大きな破片がアウターカテーテル１２の表面に付着するようにする。有害な閉塞４０が完全に分解された後、部分的に引き込まれたバイパスマイクロカテーテル２３を介した血栓溶解薬の送達は停止され、アウターカテーテル１２はその表面に付着した血餅破片と共に引き込まれることができる。その間、第２バイパスマイクロカテーテル２５は、図８に示すように、取り外される前に追加の５〜１０分に渡って動脈血化血液を送達することができる。
【００２４】
一般に、第１バイパスマイクロカテーテル２３および第２バイパスマイクロカテーテル２５の両方は、バイパス手段を実現して遠位の血管分岐枝へのアクセスするためにアウターカテーテル１２の遠位端の１０ｃｍ先まで延びすることができる。動脈血化血液に加え、血栓溶解薬、冷血漿、および生理食塩水が、上述の方法で閉塞を越えて投与され得る。局所低体温を形成するために冷血漿が用いられることができ、外科医が効果的に障害となっている血餅を除去するための時間を延長することができる。
【００２５】
本実施形態において、第１バイパスマイクロカテーテル２３が部分的に引き抜かれ、第２バイパスマイクロカテーテル２５が動脈血化血液を分岐Ｍ２  ３２へ送達するように示されているが、当業者には、外科医が血栓溶解薬および動脈血化血液を送達するために、バイパスマイクロカテーテル２３および２５のどちらか希望する方を使用するように選択できると理解されるであろう。外科医はまた、薬剤を血栓に直接送達するか、閉塞内に存在している穿孔を通して血栓内に注入するかを選択することもできる。
【００２６】
別の実施形態では、図９〜１２に示すように、主要血管３０内に存在する有害な閉塞を２つの膨張バルーンによって有効化される閉塞捕捉機構によって分岐枝の結合点からの一定距離で治療されることができる。
【００２７】
本実施形態では、アウターカテーテル１２は初めに閉塞４０を通過して、閉塞４０を越えるように導かれ、図１１に示すように１つまたは２つのガイドワイヤー１１ａおよび１１ｂを用いて、少なくとも１つのアウターカテーテル１２上のバルーン、例えば図１２のバルーン２４−ａが、第２バルーン２４−ｂが閉塞４０の近位に位置する一方で、閉塞４０を越えて位置される。２つのバルーン２４−ａおよび２４−ｂは、アウターカテーテル１２上に、それらの間の距離が閉塞の部位にて血流を遮断して、サイズ範囲が約０．５ｃｍから約３．０ｃｍのほとんどの虚血の場合の閉塞を捕捉するような間隔をあける。アウターカテーテル１２上の穿孔部分４５の両側にある（図５に示す）Ｘ線不透過性マーカー４６−ａおよび４６−ｂならびに／またはバルーン上のマーカー３５−ａおよび３５−ｂは、外科医が更にこの施術を可視化できるようにできる。閉塞４０が２つのバルーン２４−ａと２４−ｂとの間に配置されると、バルーン２４−ａおよび２４−ｂは、部分的捕捉領域および／または血液がない領域を形成するために、膨張流体を膨張ルーメンを通して送達することによって膨張されることができる。膨張したバルーン２４−ａおよび２４−ｂはまた、アウターカテーテル１２を定位置に固定できるようにすることができる。重要なことに、アウターカテーテル１２上のバルーン２４−ａおよび２４−ｂを膨張させると、閉塞の近位での血管内の血流を止め、その分けられた領域で閉塞４０の血栓溶解を開始するために薬液がアウターカテーテル１２上の穿孔部分４５を通じて送達されるようになる。並行して、バイパス機構は、Ｘ線不透過性マーカー３６−ａおよび３６−ｂの補助を伴って、第１バイパスマイクロカテーテル２３および第２バイパスマイクロカテーテル２５を主要血管３０の遠位分枝Ｍ１  ３１およびＭ２  ３２の中に延ばすことによって開始され得る。そのようにすることで、外科医は、虚血性イベントによって酸欠状態となった閉塞４０の先にある脳領域の血流を回復するために、動脈血化血液または冷血漿などの治療用薬液を、１つまたは両方のバイパスマイクロカテーテル２３および２５を通じて注入できる。
【００２８】
本実施形態では、薬液には、これらに限定されないが、血栓溶解薬または抗血小板薬が含まれ、中心ルーメン１５を介して、アウターカテーテル１２の穿孔部分４５を通過し放出することで送達されることができる。閉塞４０が部分的に捕捉され、血液が無いことから、薬液の局所的濃度は、閉塞４０を分解するために十分となり、薬液投与が局所化され、希釈やウォッシュアウト効果がないことから、閉塞４０が部分的に捕捉されていない場合に必要とされる時間よりかなり短い時間内で分解される。一旦、閉塞が十分に分解されると、アウターカテーテル１２の中心ルーメン１５を介した薬液の送達は停止され、陰圧が適用される。この圧力の適用は、より小さな血餅破片がルーメン１５を通り吸引されるようにし、より大きな破片がアウターカテーテル１２の表面に付着することを促す。
【００２９】
バイパスマイクロカテーテル２３および２５、ならびにアウターカテーテル１２は、別個の異なるルーメンを有することから、アウターカテーテル１２が部分的に係合し、少なくとも閉塞４０の一部を除去するために使用される一方で、バイパスマイクロカテーテル２３および２５は、所定位置に留まることができる。図８および図１２に示すように、一旦、カテーテルシステム１０が閉塞４０の一部を除去するために使用されると、バイパスマイクロカテーテル２３および２５は、閉塞４０を越えて加圧した冷却溶液を送達することによって、局所的な流体薬剤による冷却療法を付与するように使用され得る。この溶液には一般に、ヘパリン添加の加圧した生理食塩水および／または、脳に血流を介して局所領域的な低体温を生成するために送達される含血液／含酸素化合物が含まれる。本実施形態では、溶液のヘパリン添加および加圧された生理食塩水成分は、それ自体、または酸素運搬化合物（通常は血液）との組み合わせのいずれかによってカテーテルシステム１０に導入される前に冷却される。患者の体外のサーモスタット制御の冷蔵装置などといったあらゆる好適な溶液冷却方法を使用することができると考えられている。
【００３０】
図２、５、６〜８、および１０〜１２に示すように、アウターカテーテル１２の遠位端２２は、拡散部位または複数の穿孔１８を有する穿孔部分４５を備えている。穿孔１８は、アウターカテーテル１２のルーメンから血管壁３０への流体連通を提供する。穿孔１８がアウターカテーテル１２の遠位端２２を越えて延び、いくつかの実施形態では、穿孔１８をバルーンが配置される領域に存在しないことができることが検討される。
【００３１】
穿孔部分４５の両端、またはバルーン２２および２４上で配置され、バイパスマイクロカテーテル２３および２５の遠位端に配置されたＸ線撮影用マーカーは、他の好適なマーカーの中でＸ線不透過性リングまたは埋め込まれたペレットを含むことができる。実際の閉塞の推測的な長さを知ることは有用であるものの、血管造影法を用いた血栓症の可視化と同時に知ることになるので、長さを知らないことが脳卒中カテーテルシステム１０の使用を限定するものではない。
【００３２】
一旦アウターカテーテル１２の穿孔部分４５が閉塞４０内に配置されると、アウターカテーテル１２のルーメンへの陰圧の適用が停止されることができ、薬物治療用液剤を再度、残りの閉塞４０にアウターカテーテル１２の穿孔部分４５を通じて直接導入することができる。穿孔部分４５内の穿孔１８を通して行われる局部的、分散的なこの薬剤投与システムは、ターゲット閉塞４０のより広い表面積を血栓溶解薬、抗血小板剤、またはニトロ系血管拡張薬（すなわち、酸化窒素系薬品）などの薬物治療用液剤に晒すことになる。血栓溶解薬、抗血小板剤、またはニトロ系血管拡張薬の穿孔部分４５を通じた局部的送達は、そこを通る血流を改善するために、前者２つの場合は、それを溶解することによって、後者の場合は、閉塞した血管３０の内腔サイズを増加することによって、閉塞４０を除去、または閉塞４０のサイズを減少させる。
【００３３】
酸化窒素系血管拡張薬を投与する場合、血管拡張薬の閉塞血管区域への分配の効果の１つは、局所的血管拡張を許容し、血管壁を閉塞した血栓から拡張することによって血栓から血管壁を解放できるようにすることである。
【００３４】
穿孔部分４５は更に、病巣内薬剤投与、特に病変を溶解するための血栓溶解薬剤、および／または閉塞部位において血管４２の幅を拡げるための血管拡張薬の投与をするために使用してもよい。穿孔部分４５はまた、抗血小板剤（２Ｂ３Ａグリコプロテイン受容体遮断薬）または血管拡張薬などの薬剤を血管の選択した部分へ送達するために使用してよい。
【００３５】
単一のバイパスマイクロカテーテルを有するカテーテルシステム１００は、図１３ａに示すように遠位端１２２のみでテーパーが付けられるか、または図１３ｂに示すように遠位端を徐々にテーパーを付けることができる。本実施形態では、アウターカテーテル１２０は、バイパスマイクロカテーテル１３０を収容するために図１３ａに示す単一ルーメン１５０を有する。本実施形態におけるバイパスマイクロカテーテル１３０は、アウターカテーテル１２０の遠位端の遠位部分１２２と一体化形成されるか、または遠位部分１２２に別途取付けられることができる。いくつかの実施形態では、アウターカテーテル１２の遠位端および／またはバイパスマイクロカテーテル１３０は、外科医が機械的に閉塞４０に係合し、細かい破片に破断できるようにする複数の鋸歯状の歯１５０を備えることができる（図１３ａおよびｂ）。本実施形態では、バイパスマイクロカテーテル１３０は、アウターカテーテル１２に別途取付けられ、バイパスマイクロカテーテル１３０の回転および／または時計回りまたは反時計回りの動きで外科医が機械的に閉塞４０を貫通できるようにする。鋸歯状の歯は、１．０ｍｍから約４．０ｍｍの間の長さを有することができ、格納式であることもできる。
【００３６】
アウターカテーテル１２０の遠位部分１２２は徐々にテーパーが付き、アウターカテーテル１２０の遠位端の内径は、バイパスカテーテル１３０の外径よりわずかに大きい。アウターカテーテルの遠位部分１２２にテーパーをつけることで、アウターカテーテル１２０の遠位端からの流動を防ぎ、穿孔１１８を通る薬剤の流れを誘導する。
【００３７】
別の実施形態では、アウターカテーテル２００の単一ルーメンは、少なくとも２つのバイパスマイクロカテーテル２３０および２４０を収容するために十分大きな直径を有することができる（図１４）。図１４に示すようにアウターカテーテルの他の変形形態もまた、検討される。
【００３８】
更に、カテーテルシステム１０は、頭蓋内および末梢（四肢、虚血腸管、臓器虚血）の血管不全によって特徴付けられるいずれの状況においても使用することができると考えられる。冠状動脈へ挿入して血管内バイパス、血餅除去、システムの局所的薬剤送達機能を利用することによるこのような実施形態の１つを、虚血性心疾患を治療するために使用することができる。この技術は、静脈閉塞または機能不全の状況のために静脈管構造内において使用されることができる。
【００３９】
予測される実施例
【００４０】
近頃、心房細動と診断された６２歳の男性患者が、左半身麻痺と２時間に渡る不明瞭な発語を伴って緊急治療部門へ運び込まれる。
【００４１】
検査は、協力患者が左半身を動かすことができないという警告を示している。心律動は心房細動である。発語は、首尾一貫しているが構音障害があり、左顔面下垂がある。脳血管造影は、右中大脳動脈の閉塞を示している。静脈内血栓溶解が開始され、外科班が神経介入治療に動員された。
【００４２】
患者は、インターベンショナル神経放射線の手術室へ運ばれ、インフォームド・コンセントを得た後に気管内全身麻酔が施される。患者は手術台の上で仰向けにされ、手術中の脳波電位モニタリングのための頭皮および四肢用電極が素早く取付けられる。右大腿動脈に動脈シースを装着するためには、微小穿刺セルジンガー法が用いられる。シースは、大腿動脈の管腔と繋がり、ガイドカテーテルを送るシース通過孔から分岐するサイドポートを備えている。このサイドポートは、バイパスマイクロカテーテル用に大腿動脈からの動脈血を提供するために利用される。このポートとバイパスマイクロカテーテルの近位端の間に介在するものは、大腿動脈血化血液をヘパリン添加生理食塩水で希釈する手段、および必要に応じて、選択的特定の低体温症に効果を及ぼすために動脈血化血液を冷却する手段である。
【００４３】
適切な口径（例えば、６Ｆｒ）の頭蓋外ガイドカテーテルが、親水性ガイドワイヤー（例えば、０．０３５）の上で、大腿動脈シースを通り、そして下行大動脈を通り、そこから大動脈弓へと導かれる。ガイドカテーテルが下行大動脈の中にある間、大脳脈管構造に当接する前に残留する空気や血栓を除去するためにガイドカテーテルが洗い流される。ガイドカテーテルは、その後右総頚動脈内に配置される。その後、ロードマップ画像が右内頚動脈へ選択的の送達するために使用される。開通性がチェックされ、その後、２つの視野の面で６Ｆｒカテーテルを使用して大脳動脈注射が行われる。動脈注射は、右中大脳動脈の塞栓性閉塞を実証して確認する。閉塞の位置が、血管の分岐において特定される。
【００４４】
上述のカテーテルシステムが、その後、すでに適切な位置にあるガイドカテーテルを通じて閉塞した右中大脳動脈に配置される。当該システムは、図１５に示すように血管造影にはっきりと画像化される閉塞の近位側に導かれる。（図１５は分岐を含む右中大脳動脈の主要管腔の閉塞を示す。）
【００４５】
アウターカテーテル内にスライド可能に配置された内部バイパスカテ−テルは、その後、透視診断法を用いて、マイクロガイドワイヤー上で導かれ、１つの閉塞した分岐内へと導かれる。マイクロガイドワイヤーは取り除かれ、右中大脳動脈の分枝の通常の血管造影組織構造を示す微細血管造影がマイクロカテーテルを通じて行われる。この微小血管造影は、バイパスカテ−テルが閉塞部位の先にあることを示す。バイパスカテ−テルは、患者の大腿動脈からの動脈血化血液を希釈や冷却をして、もしくは希釈や冷却をせずに、または冷却生理食塩水を伴うだけで、閉塞の遠位の虚血性脳組織へ送達するために使用される。
【００４６】
中大脳動脈の分岐が閉塞されていることから、単一管腔バイパスは限られた利点しか有することができず、バイパス（インナー）カテーテルを送るために使用されない分岐は閉塞した状態が続く。分散した脳組織は酸素化された血液で灌流されることができず、選択的な低体温神経保護作用で治療されることができない（図２は２本のうち１本だけの分枝の部分的な血管疎通を示している）。
【００４７】
このように、脳卒中カテーテルの分岐の実施形態では、第２インナーバイパスカテーテルがマイクロガイドワイヤー上に配置され、分岐の第２の分枝へと挿入される。この第２バイパスマイクロカテーテルを通じた微細血管造影は、第２バイパスマイクロカテーテルが現時点で閉塞の先にあることを実証する。血管内のバイパスは前述で概略を述べたように実施される。
【００４８】
現時点で脳は虚血から保護され、閉塞性血栓の対処のためにより多くの時間をかけることができる。この血栓は、特に難しい物理的特徴（硬く、組織化された、患者の左心房に長時間存在する、静脈内血栓溶解薬に抵抗性がある血餅）および問題を有する物理的位置（分岐の選択を要するステントを用いた血管疎通、および血栓が硬く、組織化された血栓の溶解であることから単純な吸引の影響を受けにくい分岐部）によって特徴付けられる。
【００４９】
この状況では、血栓溶解薬剤を（装置の主要管腔、およびその穿孔が位置する）閉塞の近位端への送達すること、および血栓溶解薬を穿孔を通じて血餅に直接送達することによる選択的な血栓溶解を実施することができる。この状況では、遠位バルーンを膨張させる必要はなく、また、分岐血管は中大脳動脈の主要血管に比べ著しく小さいことからバルーン膨張はより危険を伴うことになり得る。しかしながら、この段階で血流は妨げられていることから、血栓溶解薬は、物理的に集中して、長期に渡り影響を与えるために血餅の領域に留まる傾向になり、バルーン間で隔離された区域を有することに似た状況になる。これらの要因が血栓溶解効果の向上に寄与する。
【００５０】
血栓溶解薬が徐々に血餅を溶かすと、穿孔部分は、より内側に強く血餅に係合するために、分岐部まで徐々に前進するように動かすことが可能になる。血栓溶解薬の選択的送達の間、スライド可能に配置されたバイパスカテ−テルは、脳保護を継続するためにバイパス位置に留まる。この特に抵抗力のある血栓を溶解するために必要とされる、このように長い間暴露され、高度に集中的に、特定的に向けられた血栓溶解薬は、虚血性ニューロン（死亡率は、大きな血管閉塞で分あたり約２００万となる。Ｓａｖｅｒらによる、２００９年）の保護を損なうことなく、このようにして得られる。
【００５１】
更に、追加の血栓溶解薬が、２本のバイパスカテーテルを穿孔の水準に向けて後退させることによって、残る血栓溶解内での変化する距離において血栓溶解薬を残りの閉塞性血餅内に投与でき、また、血栓溶解薬をバイパスカテーテルを通じて血餅内に送達する。このような手術中、この特定なマイクロカテーテルのバイパス機能は中断される。スライド可能に配置されたバイパスマイクロカテーテルは、随時、遠位バイパス位置に戻すことができる。
【００５２】
この介入の効果は、術中神経モニタリングパラメータの回復または改善を観察すること、およびバイパス開通性を実証する定期的微細血管造影を観察することによってモニターされ得る。
【００５３】
穿孔は更に、アクセスした閉塞の近位部分を定期的に吸引するため、可能であれば血餅の破片を除去するために使用することができる。システムが一旦取り外されると、血栓溶解が一部のみ完了したが、より細かい断片がより小さな閉塞を生じ、その後に続く血栓溶解治療により、影響を受けやすい場合、細かな血餅の断片の遠位分岐への最終的な流出の可能性が残る。（全身循環への特定濃度の送達と無駄を最小化する理由から）より少ない量の血栓溶解薬の投与には、この装置の使用が求められるため、その後に続く外科手術での更なる薬剤送達のための多くの治療的マージンが残る。
【００５４】
一旦、（経過時間、脳の電位の改善の実証、および閉塞の近位側からの微細血管造影に基づいて）介入を終了することが決められると、装置を引き込むと同時に、遠位穿孔が最終的に吸引されることができる。このことは溶解した粒子状物質の吸引を向上させ、また、装置が引き込まれるときに、装置側壁に付着した大きな粒子の捕捉を強化することになる。装置引き込み前の、頭蓋外ガイドカテーテル（ＥＣＧＣ）上のバルーンの膨張は有用になる。この施術は、頭蓋外頚動脈または脊椎動脈での血流を止めることになり、引き込まれていた捕捉された血餅粒子が解放されて頭蓋内循環内に進む可能性を低減する。
【００５５】
実施例を説明することで、例示的な方法および構成が示され、実施例を相当詳細に説明してきたが、それは出願者が、添付の特許請求の範囲をそのような詳細に限定することを意図するものではない。当然ながら、すべての考えられる部品の組み合わせや、本明細書で記載されるシステム、方法、装置、などを説明するためのすべての方法論を説明することはできない。追加の利点や変更は、当業者には容易に明らかとなるであろう。従って、本発明は特定の細目に限定されず、代表的な血管疎通カテーテルシステム１０、および例示的実施例が示され、説明されている。このように、本発明は、添付の特許請求の範囲に含まれる代替、変更、変形形態を受容することを意図している。更に、前述の説明は、本発明の範囲を限定することを意図したものではない。むしろ、本発明の範囲は、添付の特許請求の範囲およびそれと同等なものによって定められるものとする。
【図１ａ】
2018509232.tif 000003
【図１ｂ】
2018509232.tif 000004
【図１ｃ】
2018509232.tif 000005
【図１ｄ】
2018509232.tif 000006
【図１ｅ】
2018509232.tif 000007
【図１ｆ】
2018509232.tif 000008
【図１ｇ】
2018509232.tif 000009
【図２】
2018509232.tif 000010
【図３】
2018509232.tif 000011
【図４】
2018509232.tif 000012
【図５】
2018509232.tif 000013
【図６ａ】
2018509232.tif 000014
【図６ｂ】
2018509232.tif 000015
【図７】
2018509232.tif 000016
【図８】
2018509232.tif 000017
【図９】
2018509232.tif 000018
【図１０】
2018509232.tif 000019
【図１１】
2018509232.tif 000020
【図１２】
2018509232.tif 000021
【図１３ａ】
2018509232.tif 000022
【図１３ｂ】
2018509232.tif 000023
【図１４】
2018509232.tif 000024
【図１５】
2018509232.tif 000025
【図１６】
2018509232.tif 000026
【国際調査報告】
2018509232.tif 000027
2018509232.tif 000028
2018509232.tif 000029
2018509232.tif 000030